(57)【要約】【課題】マンホールの蝶番装置において蝶番具を十分に長くしても中蓋等の存在に邪魔されず、しかも蝶番具を受座に挿通し易い地下空間構造物用開口部蓋の蝶番装置を提供する。【解決手段】受枠４側の受座６は、受枠４の内周面から内側へ張り出し、受枠４の径方向に長い長孔１６を有し、開口部蓋２側の蝶番具５は、受座６の長孔１６へ上下移動及び回転可能に挿通される棒状の部材であって、上軸部１７と下軸部１８とから成り、上軸部１７の上端が開口部蓋２の下面周縁部に回転可能に取り付けられ、下軸部１８の上端が上軸部１７の下端に内側へ回転可能に取り付けられ、蝶番具５を受座６の長孔１６に挿通した状態で、下軸部１８を受座６の下方において内側へ折り曲げ可能としてある。【選択図】図３
2015224530.tif 000002
【特許請求の範囲】
【請求項１】
地下空間構造物の地上開口部を閉じる開口部蓋を受枠へ開閉可能に連結する蝶番装置であって、受枠側の受座と開口部蓋側の蝶番具とからなり、
受座は、前記受枠の内周面から内側へ張り出し、受枠の径方向に長い長孔を有し、
蝶番具は、前記受座の長孔へ上下移動及び回転可能に挿通される棒状の部材であって、上軸部と下軸部とから成り、前記上軸部の上端が前記開口部蓋の下面周縁部にこの周縁箇所における接線と平行な横軸を介して回転可能に取り付けられ、この上軸部は受枠と上下方向で係合する係合突起を備え、前記下軸部の上端が前記上軸部の下端に前記接線と平行な連結軸を介して回転可能に取り付けられ、
前記蝶番具を受座の長孔に挿通した状態で、前記下軸部を受座の下方において内側へ折り曲げ可能としてあること
を特徴とした地下空間構造物用開口部蓋の蝶番装置。
【請求項２】
前記下軸部は下端に近付くに従って内側へ向くよう湾曲していることを特徴とした請求項１に記載の地下空間構造物用開口部蓋の蝶番装置。
【請求項３】
前記下軸部の下端に前記連結軸と平行であって前記長孔からの抜け止めとなる抜け止め突起を張り出してあることを特徴とした請求項１又は２に記載の地下空間構造物用開口部蓋の蝶番装置。
【請求項４】
上軸部は上端の前記横軸の箇所において受枠側に常時付勢されていることを特徴とした請求項１〜３のいずれか一つに記載の地下空間構造物用開口部蓋の蝶番装置。
【発明の詳細な説明】
【技術分野】
【０００１】
本発明は、地下空間構造物の地上開口部を閉じる開口部蓋を地上開口部に設置した受枠へ連結する地下空間構造物用開口部蓋の蝶番装置に関する。
【背景技術】
【０００２】
下水道と地上をつなぐマンホール（地下空間構造物の一つ）は、人や物が落下したり、悪臭が漏れるのを防ぐために地上開口部を蓋で閉鎖してある。この蓋がマンホール内から吹き上げる風や第三者による悪戯で外れないよう、地上開口部に取り付けた受枠と蓋を鎖で連結していた。しかし、蓋を開放可能とするためには鎖を長くする必要があり、このように長い鎖だけで蓋と受枠を連結すると、蓋が遠くまで飛散する危険性があった。
そこで、近年では、蓋の一側を蝶番装置で受枠に連結し、蓋の他側に施錠装置を設けるのが一般的となっている。
【０００３】
蓋と受枠を連結する蝶番装置には様々な構造のものがあるが、例えば、特許文献１には、蓋本体の裏面に棒状の蝶番部材を取り付け、受枠の内周面に長孔を有する蝶番座を設け、蝶番部材を蝶番座の長孔に挿通して、蓋本体が受枠に対して開閉可能となるよう連結したものが開示されている。
また、特許文献２には、受枠側の蝶番座に蓋本体側の蝶番金物より成り、蝶番金物を蓋本体への係止用突起を形成した上部材と下部材に分け、両者をチェーンによって連結した蝶番構造が記載されている。
【先行技術文献】
【特許文献】
【０００４】
【特許文献１】特開２００５−３３６９９４号公報
【特許文献２】特開平７−２１６９２４号公報
【発明の概要】
【発明が解決しようとする課題】
【０００５】
上記特許文献１に記載の蝶番装置は、長い棒状の蝶番部材を蝶番座に挿通してあるので、蓋本体の下方の浅い位置に中蓋や張り出し部分があると、蝶番部材の下端がこれらに接触して蓋本体が閉まらなかったり、部品の破損を引き起こす恐れがある。これを避けるために蝶番部材を短くすると蝶番部材が蝶番座から抜けやすくなり、蓋本体と受枠を確実に連結することができない。
特許文献２に記載の蝶番構造は、蝶番金物を蝶番座に通した状態で下部材を曲げることはできるが、下部材が上部材に対して不安定に動くので蝶番座に通しにくく、また、下部材が不都合な方向に曲がって蓋本体をスムーズに閉じられない心配がある。
本発明が解決しようとする課題は、蝶番装置の蝶番具を十分に長くしても中蓋や受枠の張り出し部分にぶつかりにくく、しかも蝶番具を受座に挿通し易い地下空間構造物用開口部蓋の蝶番装置を提供することにある。
【課題を解決するための手段】
【０００６】
本発明は、地下空間構造物の地上開口部を閉じる開口部蓋を受枠へ開閉可能に連結する蝶番装置に関し、受枠側の受座と開口部蓋側の蝶番具とからなり、受座は、前記受枠の内周面から内側へ張り出し、受枠の径方向に長い長孔を有し、蝶番具は、前記受座の長孔へ上下移動及び回転可能に挿通される棒状の部材であって、上軸部と下軸部とから成り、前記上軸部の上端が前記開口部蓋の下面周縁部にこの周縁箇所における接線と平行な横軸を介して回転可能に取り付けられ、また、上軸部は下方からの風圧などで蓋が浮き上がる際に蓋を受枠側に係合するための係合突起を備え、前記下軸部の上端が前記上軸部の下端に前記接線と平行な連結軸を介して回転可能に取り付けられ、前記蝶番具を受座の長孔に挿通した状態で、前記下軸部を受座の下方において内側へ折り曲げ可能としてある。
前記下軸部は下端に近付くに従って内側へ向くよう湾曲しているのが望ましい。
前記下軸部の下端に前記連結軸と平行な抜け止め突起を張り出すことがある。
【発明の効果】
【０００７】
本発明によれば、開口部蓋の下方の浅い位置に中蓋や張り出し部分があって、開口部蓋を閉じる際に蝶番具の下端が接触しても、下軸部が内側へ曲がって逃げるので、開口部蓋の下降を邪魔したり、部品が破損する心配が無い。しかも、下軸部は上軸部に対して一定方向（受枠の半径方向内向き）のみに曲がるため、受座の長孔に通しやすく、閉蓋途中で受枠等に引っ掛かることもない。また、開口部蓋を真上に引き上げようとしても、蝶番具は十分な長さを有しているため受座から抜けにくく、開口部蓋を安定して受枠に連結できる。
【図面の簡単な説明】
【０００８】
【図１】本発明の実施例に係るマンホールの分解斜視図である。
【図２】本発明の実施例に係るマンホールの開口部蓋閉鎖状態における断面図である。
【図３】図２の要部拡大図である。
【図４】本発明の実施例に係る開口部蓋の底面図である。
【図５】本発明の実施例に係る受枠の平面図である。
【図６】本発明の実施例に係る蝶番具の正面図である。
【図７】本発明の実施例に係る蝶番具の側面図である。
【図８】本発明の実施例に係るマンホールの開口部蓋組み込み途中における要部斜視図である。
【図９】本発明の実施例に係るマンホールの開口部蓋開放途中における断面図である。
【図１０】本発明の実施例に係るマンホールの水平旋回により開口部蓋を開放した状態における断面図である。
【図１１】本発明の実施例に係るマンホールの垂直反転により開口部蓋を開放した状態における断面図である。
【発明を実施するための形態】
【０００９】
以下、地下空間構造物が下水道管と地上を連絡するマンホールである実施例について、図面に基づいて詳細に説明する。
図１〜図３に示すように、マンホールは、立ち上げ管１、開口部蓋２、中蓋３及び受枠４で構成される。開口部蓋２は、受枠４に対して、開口部蓋２側の蝶番具５と受枠４側の受座６とからなる蝶番装置を介して開閉可能に連結されている。
立ち上げ管１は、地中に埋設されて内部に筒状空間が形成される。立ち上げ管１の下端は下水道管に通じており、上端はマンホールの地上開口部となっている。また、立ち上げ管１の上端には、複数のアンカーボルト２０とガイドボルト２１を周方向に等間隔で、且つ位置をずらして立設してある（図１）。
【００１０】
開口部蓋２は、マンホールの地上開口部を閉じる部材であり、鋳鉄製の円盤より成る。図４に示すように、開口部蓋２の下面周縁部には蝶番具５を取り付けるための溝部７を設けてある。溝部７は開口部蓋２の径方向に長く、両端面及び下面が開口している。
図１に示すように、開口部蓋２の下面周縁部において溝部７と逆側にはロック部材８が取り付けられている。ロック部材８は、この逆側周縁における開口部蓋２の接線と平行な軸を中心として回動可能である。ロック部材８の外端部には受枠４に係合可能な鉤部９が形成され、ロック部材８の内端部は操作部１０となっている。ロック部材８は鉤部９が受枠４に係合する方向へ付勢されている。また、操作部１０の上方において、開口部蓋２には工具挿入孔１１が形成され、操作部１０を操作して鉤部９と受枠４の係合を解除すると共に、開口部蓋２を引き起こすための工具を上方から挿入できるようになっている。
【００１１】
中蓋３は、図１及び図２に示すように、開口部蓋２の下方に間隔をとって設置され、上端に向かって次第に径が大きくなるよう傾斜した逆円錐状の周壁２２と、周壁２２の上端から外側へ張り出すフランジ２３と、周壁２２の下端に設けた底板２４を備える。
周壁２２の複数箇所には複数の排気口２５を設けてある。排気口２５は、常閉で立ち上げ管１内部の圧力上昇により開くフラップ式の空気弁で開閉される。フランジ２３には、複数のガイドボルト挿通孔２６を周方向に等間隔で形成してある。底板２４は一方側へ傾斜しており、底板２４の低い側には開口部２７が形成される。開口部２７には、上面に一定以上の荷重が加わった時に開くダンパー２８が設置されている。
【００１２】
受枠４は、図２及び図３に示すように、外側環状壁２９と内側環状壁３０、外側環状壁２９の上縁と内側環状壁３０の上縁とをつないだ環状上壁３１、内側環状壁３０の下縁から内側へ張り出した蓋掛けフランジ３２、外側環状壁２９の下端から内側へほぼ水平に張り出した支持フランジ３３を備える。蓋掛けフランジ３２及び支持フランジ３３の内径は立ち上げ管１の上端の内径とほぼ同じであり、内側環状壁３０の内径は開口部蓋２の外径よりやや大きくしてある。蓋掛けフランジ３２と支持フランジ３３の間は環状窓３４にされている。
【００１３】
支持フランジ３３には、アンカーボルト２０及びガイドボルト２１を挿通するための貫通孔３６がそれぞれ複数形成されている。
環状上壁３１には、環状窓３４とマンホールの外部空間とを連通する通気孔３７が複数形成されている。図５に示すように、環状上壁３１と支持フランジ３３の間には複数の補強壁３８を周方向に等間隔で架設してある。
蓋掛けフランジ３２の下面内縁には環状の突条４１を形成してある（図３）。
【００１４】
蝶番具５は、図３、図６及び図７に示すように、上端部が開口部蓋２に取り付けられて下方へ突出した棒状の部材であって、上軸部１７と下軸部１８から成る。
上軸部１７の上端部には、平板状で開口部蓋２の外周側へ屈曲した取付部１２が形成され、取付部１２の両面に横軸１３が張り出している。上軸部１７の下端両側（横軸１３が張り出している側）には下方に向けて取付片４２を設け、取付片４２にそれぞれ軸挿通孔４３を形成してある。
また、上軸部１７の下部において、開口部蓋２の外周側の面には受枠４の突条４１と係合可能な係合突起１５が形成される。係合突起１５は、上端に向かって次第に張り出し量が大きくなるよう傾斜している。
【００１５】
下軸部１８は下端に近付くに従って内側へ向くよう湾曲している。下軸部１８の上端には上軸部１７の取付片４２間に挿入される突部４４を設け、突部４４に取付片４２の軸挿通孔４３と一致する軸挿通孔４３’を形成してある。下軸部１８の下端部両側には横軸１３と平行な抜け止め突起１４が突出している。
上軸部１７の下端と下軸部１８の上端は軸挿通孔４３，４３’に通した連結軸１９を介して回転可能に連結される。
そして、蝶番具５は、横軸１３を溝部７の両側の壁に係合することにより、開口部蓋２の周縁部にその周縁箇所における接線を中心として回転可能に取り付けられる。
なお、前記の横軸１３の回りには、蓋が浮き上がった際に蝶番具５の前記係合突起１５が受枠側の突条４１と係合するように、上軸部１７を常時受枠４側へ付勢するための手段、例えば、ばねや磁石などが配置されている。
【００１６】
図３及び図５に示すように、受座６は、上下に貫通する長孔１６を設けた四角形の枠体より成り、受枠４の内周面から内側へ張り出している。受座６は蓋掛けフランジ３２より僅かに低い位置に設ける。
長孔１６の短軸方向の寸法は、蝶番具５の直径よりも大きく、且つ、蝶番具５の両側面に形成された抜け止め突起１４の先端間の距離よりも小さい。また、長孔１６の対角線の長さは、抜け止め突起１４を水平方向で対角線に一致させ、垂直方向で傾斜させることにより長孔１６に抜挿できる寸法とする。
【００１７】
マンホールを構築するには、地中に埋め込んだ立ち上げ管１の上端に受枠４を、その貫通孔３６にアンカーボルト２０及びガイドボルト２１を通して載置し、支持フランジ３３をアンカーボルト２０とナットで固定する。
次いで、受枠４の支持フランジ３３に中蓋３のフランジ２３を載せて、支持フランジ３３の上方に突出したガイドボルト２１を中蓋３のガイドボルト挿通孔２６に通し、ガイドボルト２１の上端部にナットを螺合して、中蓋３を受枠４に取り付ける。中蓋３はガイドボルト２１にガイドされて受枠４の支持フランジ３３から浮き上がり可能となっている。
【００１８】
次に、図８に示すように、蝶番具５の上軸部１７と下軸部１８を伸ばした状態で、開口部蓋２を受枠４の上に起立させ、蝶番具５の抜け止め突起１４の張り出し方向を長孔１６の対角線に一致させる。そして、蝶番具５を受座６の長孔１６に合わせて開口部蓋２を落とし込み、蝶番具５を受座６の長孔１６に挿通して蝶番装置とする。蝶番具５は長孔１６に対して自由に上下方向に移動し軸心周りに回動できる。
次いで、開口部蓋２を水平方向に回転させて蝶番具５を回動させ、抜け止め突起１４を長孔１６の長軸と交差させる。すると、蝶番具５を受座６の長孔１６から抜くことができなくなる。
【００１９】
その後、図１及び図２に示すように、開口部蓋２を倒して受枠４の内側環状壁３０内に嵌め込み、蓋掛けフランジ３２上に載せる。
開口部蓋２の下方の浅い位置には中蓋３があるので、開口部蓋２を下降させる過程で蝶番具５の下端が中蓋３に接触すると、蝶番具５にはその湾曲した形状により内側上方へ押し上げようとする力が加わる。しかし、下軸部１８のみが連結軸１９を中心として内側へ曲がることにより、この力を吸収して開口部蓋２をスムーズに閉じることができる。
【００２０】
開口部蓋２でマンホールの地上開口部を閉じている時、開口部蓋２を真直ぐ上方へ持ち上げようとすると、蝶番具５の係合突起１５が受枠４の突条４１に引っ掛かって、開口部蓋２は上昇することができない。また、開口部蓋２のガタつき等により係合突起１５と突条４１の係合が外れても、蝶番具５は十分な長さを有しているので、受座６から抜けにくい。
また、開口部蓋２の蝶番構造による連結部分と逆側の端部において、ロック部材８の鉤部９が受枠４の突条４１に係合している。
【００２１】
開口部蓋２を取り外す際には、まず、工具挿入孔１１を通して開口部蓋２の上方から工具を挿入し、ロック部材８の操作部１０を引き上げて鉤部９と受枠４の突条４１の係合を解除する。
次いで、工具挿入孔１１に挿入した工具を持ち上げて、図９に示すように、開口部蓋２を蝶番装置と逆側の上方へ引き上げ、開口部蓋２を受枠４上に載せる。この時、折れ曲がっていた蝶番具５の下軸部１８は受座６の下面に当たり、開口部蓋２が上昇するのに伴って延ばされ、さらに、蝶番具５は横軸１３を中心として開口部蓋２の外周方向へ回転し、長孔１６に対して傾斜した状態で挿通される。
次に、蝶番装置を中心として蓋２を起立させてから、水平に回転させて蝶番具５の抜け止め突起１４の張り出し方向を長孔１６の対角線に一致させ、そのまま開口部蓋２を受枠４上に載せる。
その後、開口部蓋２を転がして蝶番具５を長孔１６から引き抜く。
【００２２】
開口部蓋２を図９の状態から水平旋回させて開ける場合は、工具を工具挿入孔１１に挿入した状態で引っ張り、図１０に示すように、開口部蓋２を受枠４の上面に沿って水平に１８０度回転させる。この時、蝶番装置の蝶番具５は受座６の長孔１６内で傾斜したまま回動する。
開口部蓋２を図９の状態から垂直反転させて開ける場合は、工具挿入孔１１に挿入した工具を引き抜いた後、開口部蓋２のロック部材８側の端部を持ち上げ、図１１に示すように蝶番装置を中心として開口部蓋２を裏返す。
いずれの場合も、逆の過程を経て開口部蓋２を閉じることができる。
【００２３】
なお、マンホールの開口部蓋は、親蓋と、親蓋に形成した出入り口を開閉する子蓋とで構成することがある。この場合、地上開口部の受枠と親蓋を本発明の蝶番装置で連結し、さらに、親蓋に設けた受部と子蓋を類似した蝶番装置で連結することができる。
また、蝶番具５は屈曲性能を有することが重要なので、上軸部１７の下端に下軸部１８を回転可能に取り付けた構成に代わるものとして、蝶番具５の軸部を鎖やナイロンベルトとすることもできる。
【符号の説明】
【００２４】
１    立ち上げ管
２    蓋
３    中蓋
４    受枠
５    蝶番具
６    受座
７    溝部
８    ロック部材
９    鉤部
１０  操作部
１１  工具挿入孔
１２  取付部
１３  横軸
１４  抜け止め突起
１５  係合突起
１６  長孔
１７  上軸部
１８  下軸部
１９  連結軸
２０  アンカーボルト
２１  ガイドボルト
２２  周壁
２３  取付フランジ
２４  底板
２５  排気口
２６  ガイドボルト挿通孔
２７  開口部
２８  ダンパー
２９  外側環状壁
３０  内側環状壁
３１  環状上壁
３２  蓋掛けフランジ
３３  支持フランジ
３４  環状窓
３６  貫通孔
３７  通気孔
３８  補強壁
４１  突条
４２  取付片
４３，４３  軸挿通孔
４４  突部
【図１】
2015224530.tif 000003
【図２】
2015224530.tif 000004
【図３】
2015224530.tif 000005
【図４】
2015224530.tif 000006
【図５】
2015224530.tif 000007
【図６】
2015224530.tif 000008
【図７】
2015224530.tif 000009
【図８】
2015224530.tif 000010
【図９】
2015224530.tif 000011
【図１０】
2015224530.tif 000012
【図１１】
2015224530.tif 000013